(57)【要約】【課題】本発明は誘導灯装置に関し、電池の寿命を判定できる誘導灯装置を得ることを目的とする。【解決手段】本発明に係る誘導灯装置は、ＬＥＤ光源と、該ＬＥＤ光源を点滅させる点滅回路と、該点滅回路に電力を供給する電池と、予め定められた検査時間だけ該ＬＥＤ光源を点滅させたときに該電池の電圧が予め定められた閾値電圧よりも高いか否かを判別し、判別結果を出力する制御部と、を備え、該電池の電圧は、該電池から該点滅回路に電流を流しているとき第１電圧となり、該電池から該点滅回路に電流を流していないとき第２電圧となり、該制御部は該第１電圧または該第２電圧の少なくとも一方から該電池の電圧を検出する。【選択図】図１
2020191228.tif 000002
【特許請求の範囲】
【請求項１】
ＬＥＤ光源と、
前記ＬＥＤ光源を点滅させる点滅回路と、
前記点滅回路に電力を供給する電池と、
予め定められた検査時間だけ前記ＬＥＤ光源を点滅させたときに前記電池の電圧が予め定められた閾値電圧よりも高いか否かを判別し、判別結果を出力する制御部と、
を備え、
前記電池の電圧は、前記電池から前記点滅回路に電流を流しているとき第１電圧となり、前記電池から前記点滅回路に電流を流していないとき第２電圧となり、
前記制御部は前記第１電圧または前記第２電圧の少なくとも一方から前記電池の電圧を検出することを特徴とする誘導灯装置。
【請求項２】
前記制御部は、前記第１電圧と前記第２電圧とを検出し、前記第１電圧と前記第２電圧の差分が前記閾値電圧よりも高いか否かを判別することを特徴とする請求項１に記載の誘導灯装置。
【請求項３】
前記制御部は、前記ＬＥＤ光源と並列に第１疑似負荷を接続した状態で、前記検査時間だけ前記ＬＥＤ光源を点滅させたときに前記電池の電圧が前記閾値電圧よりも高いか否かを判別し、判別結果を出力することを特徴とする請求項１または２に記載の誘導灯装置。
【請求項４】
前記電池から電力の供給を受け、避難を促す音声を発する音声出力部を備え、
前記制御部は、前記検査時間だけ前記ＬＥＤ光源を点滅させ、かつ、前記音声を出力させたときに、前記電池の電圧が前記閾値電圧よりも高いか否かを判別し、前記判別結果を出力することを特徴とする請求項１から３の何れか１項に記載の誘導灯装置。
【請求項５】
前記制御部は、前記音声の１周期の間での前記電池の電圧の平均値を算出し、前記平均値が前記閾値電圧よりも高いか否かを判別することを特徴とする請求項４に記載の誘導灯装置。
【請求項６】
前記音声出力部は、スピーカを備え、
前記制御部は、前記スピーカと並列に第２疑似負荷を接続した状態で、前記検査時間だけ前記ＬＥＤ光源を点滅させ、かつ、前記音声を出力させたときに、前記電池の電圧が前記閾値電圧よりも高いか否かを判別し、前記判別結果を出力することを特徴とする請求項４または５に記載の誘導灯装置。
【請求項７】
前記判別結果を表示する判別結果表示部を備えることを特徴とする請求項１から６の何れか１項に記載の誘導灯装置。
【発明の詳細な説明】
【技術分野】
【０００１】
本発明は、誘導灯装置に関する。
【背景技術】
【０００２】
特許文献１には、誘導灯装置が開示されている。この誘導灯装置では、リモコン発信機から非常時動作の確認を指示する動作確認信号を送信することにより非常時動作を遠隔操作で確認可能である。マイコンは、リモコン受信部が動作確認信号を受信すると、誘導灯点灯回路をバッテリ駆動させることにより、第１の光源をＴ１期間点灯させる。次に、マイコンは、点滅回路をバッテリ駆動させることにより、第２の光源をＴ２期間、点滅させる。作業者は、第１の光源と第２の光源を異なる時間に確認できる。
【先行技術文献】
【特許文献】
【０００３】
【特許文献１】特開２０１０−１８６６１６号公報
【発明の概要】
【発明が解決しようとする課題】
【０００４】
特許文献１の誘導灯装置では、点滅動作の確認ができる一方で電池の寿命を判定することはできない。
【０００５】
本発明は、上述の課題を解決するためになされたもので、電池の寿命を判定できる誘導灯装置を得ることを目的とする。
【課題を解決するための手段】
【０００６】
本発明に係る誘導灯装置は、ＬＥＤ光源と、該ＬＥＤ光源を点滅させる点滅回路と、該点滅回路に電力を供給する電池と、予め定められた検査時間だけ該ＬＥＤ光源を点滅させたときに該電池の電圧が予め定められた閾値電圧よりも高いか否かを判別し、判別結果を出力する制御部と、を備え、該電池の電圧は、該電池から該点滅回路に電流を流しているとき第１電圧となり、該電池から該点滅回路に電流を流していないとき第２電圧となり、該制御部は該第１電圧または該第２電圧の少なくとも一方から該電池の電圧を検出する。
【発明の効果】
【０００７】
本発明に係る誘導灯装置では、検査時間だけＬＥＤ光源を点滅させたときの電池の電圧が閾値電圧よりも高いか否かを判別できる。従って、電池の寿命を判定できる。
【図面の簡単な説明】
【０００８】
【図１】実施の形態１に係る誘導灯装置の斜視図である。
【図２】実施の形態１に係る誘導灯装置の分解斜視図である。
【図３】実施の形態１に係る誘導灯装置の回路ブロック図である。
【図４】第１疑似負荷と第２疑似負荷を説明する図である。
【図５】第１疑似負荷と第２疑似負荷の接続方法を説明する図である。
【図６】電圧検出部を説明する図である。
【図７】電池の電圧波形を説明する図である。
【図８】Ｌｏｗ期間における電池電圧の検出タイミングを説明する図である。
【図９】Ｈｉｇｈ期間における電池電圧の検出タイミングを説明する図である。
【図１０】音声出力部からの音声を説明する図である。
【図１１】実施の形態１に係るリモコンの平面図である。
【図１２】実施の形態１の変形例に係る誘導灯装置の斜視図である。
【図１３】誘導灯装置の機種を説明する図である。
【図１４】制御部の動作を示すフローチャートである。
【発明を実施するための形態】
【０００９】
本発明の実施の形態に係る誘導灯装置について図面を参照して説明する。同じ又は対応する構成要素には同じ符号を付し、説明の繰り返しを省略する場合がある。
【００１０】
実施の形態１．
図１は、実施の形態１に係る誘導灯装置１２０の斜視図である。図２は、実施の形態１に係る誘導灯装置１２０の分解斜視図である。誘導灯装置１２０は、異常時に避難を促す音声を発するスピーカ５と、異常時に点滅する第２光源４を有する音声付加点滅形誘導灯である。ここで、異常時は、例えば誘導灯装置１２０が火災を報知する火災信号を受信した状態である。これに対し、通常時は誘導灯装置１２０が火災信号を受信していない状態を示す。
【００１１】
誘導灯装置１２０は、本体１、表示パネル２、第２光源用カバー３、第２光源４、本体カバー７、動作確認スイッチ１０、第１光源１２および充電モニタ１６ａ、１６ｂを備える。本体１には、点灯回路１１ａ、電池１３ａ、スピーカ５、電池１３ｂ、共有回路１１ｂ、点滅回路１４、音声回路１５およびリモコン受光部９が収納されている。
【００１２】
本体カバー７は本体１を覆う。本体カバー７には、スピーカ５と対向する位置にスピーカ用穴７ａが設けられる。また、本体カバー７には、表示パネル２を露出させる開口が設けられる。動作確認スイッチ１０、充電モニタ１６ａおよびリモコン受光部９は、本体１の下面に設けられる。
【００１３】
表示パネル２には誘導表示が設けられる。表示パネル２は避難口の位置または避難方向を示す。表示パネル２の上方には、第１光源１２が設けられる。第１光源１２は例えばＬＥＤ光源である。第１光源１２は、常用時および非常時に表示パネル２を照らす。ここで、常用時は商用電源５０からの電力供給がある状態を示す。非常時は商用電源５０の供給が無い停電状態を示す。
【００１４】
本体１の下面には第２光源４が設けられる。第２光源４は、第２光源用カバー３に覆われる。第２光源４は短時間に大光量を発生するランプである。第２光源４は、ＬＥＤ光源から構成されるモジュールである。第２光源４の側面には、充電モニタ１６ｂが設けられる。
【００１５】
図３は、実施の形態１に係る誘導灯装置１２０の回路ブロック図である。点灯回路１１ａは、充電回路１１１ａおよび制御部１１２ａを有する。また、点灯回路１１ａには商用電源５０および電池１３ａが接続される。商用電源５０は例えば交流電源である。充電回路１１１ａは、常用時は商用電源５０から電力を供給され電池１３ａを充電する。
【００１６】
第１光源１２は、常用時には点灯回路１１ａを介して商用電源５０から電力を供給され点灯する。また、第１光源１２は、非常時には電池１３ａから電力を供給され点灯する。
【００１７】
制御部１１２ａは充電回路１１１ａを制御する。制御部１１２ａは、例えばマイコンを含む。制御部１１２ａは、常用時は商用電源５０から電力を供給され動作する。また、制御部１１２ａは、非常時には電池１３ａから電力を供給され動作する。このように、点灯回路１１ａは、常用時は商用電源５０から電力の供給を受け動作し、非常時は電池１３ａから電力の供給を受け動作する。
【００１８】
共有回路１１ｂは、充電回路１１１ｂ、制御部１１２ｂおよび昇圧回路１１４ｂを有する。また、共有回路１１ｂには商用電源５０および電池１３ｂが接続される。充電回路１１１ｂは、常用時に商用電源５０から電力を供給され電池１３ｂを充電する。電池１３ｂは例えば蓄電池である。
【００１９】
また、共有回路１１ｂには、点滅回路１４および音声回路１５が接続される。点滅回路１４は第２光源４を点滅させる。音声回路１５はスピーカ５と接続される。音声回路１５はスピーカ５から避難を促す音声を出力させる。この音声は誘導音とも呼ばれる。音声回路１５とスピーカ５は音声出力部２５を構成する。
【００２０】
電池１３ｂは、異常時に点滅回路１４および昇圧回路１１４ｂに電力を供給する。点滅回路１４は電池１３ｂの電圧を、内部に有する昇圧回路１４ｂで昇圧する。これにより、点滅回路１４は第２光源４を点滅させる。また、昇圧回路１１４ｂは、異常時に音声回路１５の動作電源を生成する。これにより音声出力部２５は、昇圧回路１１４ｂを介して電池１３ｂから電力の供給を受け、避難を促す音声を発する。このように、点滅回路１４および音声回路１５は、異常時には電池１３ｂから電力を供給される。ここで、異常時は後述する火災検出部２０１から火災の検出信号を受信している状態を言う。
【００２１】
制御部１１２ｂは、充電回路１１１ｂ、昇圧回路１１４ｂ、点滅回路１４、昇圧回路１４ｂおよび音声回路１５を制御する。制御部１１２ｂは例えばマイコンを含む。制御部１１２ｂは、常用時は商用電源５０から電力を供給され動作する。また、制御部１１２ｂは、非常時には電池１３ｂから電力を供給され動作する。
【００２２】
制御部１１２ｂには、火災報知部２００が接続される。火災報知部２００は、火災検出部２０１、火災報知設備２０２および誘導灯用信号装置２０３を有する。火災検出部２０１は火災を検出する。火災報知設備２０２は自動火災報知設備である。誘導灯用信号装置２０３は、火災報知設備２０２を介して火災検出部２０１から火災の検出信号を受けると、制御部１１２ａ、１１２ｂに火災を報知する火災信号を送信する。
【００２３】
制御部１１２ｂは、火災信号に応じて点滅回路１４と音声回路１５を動作させる。これにより、第２光源４が例えば２Ｈｚで点滅発光し、スピーカ５が誘導音を発声する。
【００２４】
このように、共有回路１１ｂは、通常時は商用電源５０から電力の供給を受け動作し、異常時は電池１３ｂから電力の供給を受け動作する。点滅回路１４と音声回路１５とで電池１３ｂを共用することで、誘導灯装置１２０の部品点数の削減できる。また、点滅回路１４と音声回路１５とで共有回路１１ｂを共用することで、さらに誘導灯装置１２０の部品点数の削減できる。
【００２５】
充電モニタ１６ａは点灯回路１１ａに接続される。充電モニタ１６ａは、電池１３ａの充電状態を示す。制御部１１２ａは、充電モニタ１６ａの点灯状態を制御する。電池１３ａの充電中には、充電モニタ１６ａが有する緑のランプが点灯する。電池１３ａが寿命となった場合、充電モニタ１６ａのランプが点滅する。
【００２６】
充電モニタ１６ｂは共有回路１１ｂに接続される。充電モニタ１６ｂは、電池１３ｂの充電状態を示す。制御部１１２ｂは、充電モニタ１６ｂの点灯状態を制御する。電池１３ｂの充電中には、充電モニタ１６ｂが有する緑のランプが点灯する。
【００２７】
リモコン受光部９は、点灯回路１１ａと共有回路１１ｂの両方に接続されている。リモコン受光部９は、後述するリモコン９０からの信号を受信する。制御部１１２ａ、１１２ｂは、それぞれリモコン９０からの信号に応じて動作する。
【００２８】
火災報知部２００と制御部１１２ｂとは、動作確認スイッチ１０を介して接続される。動作確認スイッチ１０は、押下することでオンオフできる。また、動作確認スイッチ１０はリモコン９０でオンオフできても良い。動作確認スイッチ１０をオンまたはオフすることで、疑似的な火災信号を制御部１１２ｂに入力できる。これにより、点滅回路１４と音声出力部２５の動作確認ができる。
【００２９】
図４は、第１疑似負荷３４と第２疑似負荷３５を説明する図である。第２光源４とスピーカ５の動作確認において、実際の火災報知時と同様に点滅および音声出力を行うと、フラッシュでの点滅は目立ち、大音量の音声はうるさいと感じられる場合がある。このため、特に２４時間営業の設備等では動作確認を実施することが困難となる場合がある。
【００３０】
これに対し、本実施の形態では、第１疑似負荷３４が第２光源４と並列に接続される。また、第２疑似負荷３５がスピーカ５と並列に接続される。第１疑似負荷３４が第２光源４に接続されることで、電池１３ｂに実動作時と同等の電力を消費させつつ、動作確認時の第２光源４の光量を低減できる。実動作時と同等の電力を消費することで、電池１３ｂの寿命および劣化を正確に確認できる。つまり、実動作時に規定時間の動作が可能か否かの判定ができる。また、第２光源４の光量を低減させることで、目立たないように点滅させて点滅光源の異常の有無を確認できる。
【００３１】
同様に、第２疑似負荷３５がスピーカ５に接続されることで、電池１３ｂに実動作時と同等の電力を消費させつつ、動作確認時の音量を低減できる。実動作時と同等の電力を消費することで、電池１３ｂの寿命および劣化を正確に確認できる。また、スピーカ５の音量を低減させることで、周囲に迷惑が掛からないように音声出力部２５の異常の有無を確認できる。
【００３２】
第１疑似負荷３４および第２疑似負荷３５は、例えば抵抗である。これに限らず、第１疑似負荷３４および第２疑似負荷３５は、電流を供給されて電力を消費すれば良い。
【００３３】
ここで、第２光源４がキセノンランプである場合、キセノンランプを放電させるために、一般に２００Ｖ程度の高電圧を発生させる必要がある。キセノンランプの点灯回路は、一般に電池電圧の低下に伴い光出力が低下する方式である。このため、電池に実動作時と同等の電力を消費させつつ、光出力を下げることは難しい。これに対し、本実施の形態では、ＬＥＤ光源を用いることで、電池電圧に寄らず第２光源４に供給する電流値または電力値を操作できる。また、第２光源４の点滅のための電圧は数十Ｖで良く、キセノンランプに比べて省電力での動作を実現できる。
【００３４】
図５は、第１疑似負荷３４と第２疑似負荷３５の接続方法を説明する図である。第１疑似負荷３４はスイッチ３４ａを介して点滅回路１４と接続されても良い。制御部１１２ｂは動作確認時以外においては、スイッチ３４ａをオフし、点滅回路１４と第１疑似負荷３４とを遮断する。制御部１１２ｂは動作確認時にスイッチ３４ａをオンし、点滅回路１４と第１疑似負荷３４とを接続しても良い。
【００３５】
同様に、第２疑似負荷３５はスイッチ３５ａを介して音声回路１５と接続されても良い。制御部１１２ｂは動作確認時以外においては、スイッチ３５ａをオフし、音声回路１５と第２疑似負荷３５とを遮断する。制御部１１２ｂは動作確認時にスイッチ３５ａをオンし、音声回路１５と第２疑似負荷３５とを接続しても良い。以上から、動作確認時に第１疑似負荷３４と第２疑似負荷３５を接続する手間が省ける。これに限らず、点検時に作業者が第１疑似負荷３４と第２疑似負荷３５を取り付けても良い。
【００３６】
図６は、電圧検出部を説明する図である。誘導灯装置１２０は電圧検出部を備える。電圧検出部は、電池１３ｂの正極と負極との間に接続された抵抗Ｒ１、Ｒ２の直列回路から構成される。抵抗Ｒ１、Ｒ２の接続点は、制御部１１２ｂに接続される。電池１３ｂの両端に印加される電圧Ｖｂａｔは、抵抗Ｒ１、Ｒ２で分圧され、制御部１１２ｂに入力される。これにより、制御部１１２ｂは電池１３ｂの電圧Ｖｂａｔを検出する。電圧検出部の構成はこれに限らず、電池１３ｂの電圧Ｖｂａｔを検出できれば良い。
【００３７】
図７は、電池の電圧波形を説明する図である。制御部１１２ｂは、火災信号を受信すると、５００ｍｓ毎にＨｉｇｈとなる２Ｈｚ信号を点滅回路１４に出力する。２Ｈｚ信号に応じて点滅回路１４は第２光源４を点灯させる。これにより、図７の最上段に示されるように、第２光源４は２Ｈｚで点滅し、閃光を発する。
【００３８】
図７の第１比較例と第２比較例は、点滅光源としてキセノンランプを使用したときの電池電圧の挙動を示す。消費電力が大きいキセノンランプを２Ｈｚで点滅させる場合、一般に、キセノンランプを放電させるためのエネルギーが充電される大容量の電解コンデンサが使用される。このとき、５００ｍｓのほとんどの時間をかけて昇圧を行う必要がある。このため、２Ｈｚ信号を発信したあとの電池電圧は下降状態が続き、安定しない。
【００３９】
よって、矢印で示される電圧取り込みタイミングにより検出電圧が大きくばらつく。従って、正確な電圧を把握することが困難である。さらに、個体バラツキを考慮すると、電圧取り込みタイミングの僅かなずれにより、検出電圧が大きく変動することとなる。
【００４０】
これに対し、本実施の形態では、第２光源４としてＬＥＤを使用している。図７の最下段は、本実施の形態の電池１３ｂの電圧Ｖｂａｔを示す。電池電圧は、点滅動作及び音声の動作に伴う負荷電流により変動する。電池１３ｂからの放電電流は、２Ｈｚ信号に同期して流れる。電池電圧は２Ｈｚ信号の発信後Ｌｏｗ期間となり、その後Ｈｉｇｈ期間となる。電池１３ｂからの放電電流は点滅回路１４の動作電源となり、第２光源４が点灯可能となる。
【００４１】
電池１３ｂの電圧Ｖｂａｔは、電池１３ｂから点滅回路１４に電流を流しているとき第１電圧となり、電池１３ｂから点滅回路１４に電流を流していないとき第２電圧となる。本実施の形態では、矢印に示されるように、電池１３ｂの電圧Ｖｂａｔが第１電圧または第２電圧のタイミングに合わせて電圧を取り込むことで、検出の精度を向上できる。また、第２光源４の点滅のための電圧は数十Ｖで良く、キセノンランプに比べて電池電圧の変動が小さい。従って、電池電圧を正確に検出できる。
【００４２】
次に、電池１３ｂの電圧の検出タイミングについて説明する。図８は、Ｌｏｗ期間における電池電圧の検出タイミングを説明する図である。２Ｈｚ信号は電圧Ｖｂａｔの立下りのエッジから生成される。Ｌｏｗ期間の幅は、例えば５０ｍｓである。制御部１１２ｂは、図８の矢印に示される２Ｈｚ信号の立ち上がりエッジから０ｍｓ以上４５ｍｓ未満の間に、Ｌｏｗ期間の電池１３ｂの第１電圧を検出する。これに限らず、制御部１１２ｂは、２Ｈｚ信号の立下りエッジから規定時間の間に電池１３ｂの電圧を検出しても良い。
【００４３】
図９は、Ｈｉｇｈ期間における電池電圧の検出タイミングを説明する図である。制御部１１２ｂは、図９の矢印に示される２Ｈｚ信号の立ち上がりエッジから５５ｍｓ以上４９５ｍｓ未満の間に、Ｈｉｇｈ期間の電池１３ｂの第２電圧を検出する。以上から、Ｈｉｇｈ期間およびＬｏｗ期間の電池電圧を正確に検出できる。本実施の形態では、電池電圧の検出タイミングを制御部１１２ｂが指定することで、正確な電池電圧を検出できる。
【００４４】
制御部１１２ｂは、自己点検時に電池１３ｂの電圧Ｖｂａｔから電池１３ｂの寿命を判定する。寿命の判定に用いる電圧Ｖｂａｔは、Ｌｏｗ期間の第１電圧またはＨｉｇｈ期間の第２電圧の何れかであっても良い。つまり、制御部１１２ｂは第１電圧または第２電圧の少なくとも一方から電圧Ｖｂａｔを検出すれば良い。また、電圧Ｖｂａｔは第１電圧と第２電圧の平均値であっても良い。また、電圧Ｖｂａｔは第１電圧と第２電圧から得られる実効値であっても良い。
【００４５】
また、制御部１１２ｂは、第１電圧と第２電圧を検出し、第１電圧と第２電圧の差分を算出しても良い。第１電圧と第２電圧の差分は、回路動作時の電圧降下に対応する。一般に動作時間が長くなり電池容量が低下するほど、電圧降下が大きくなる。また、電池電圧を昇圧して第２光源４を点滅させる場合、出力を一定に保つため、電池電圧が低下するほど電池からの放電電流が増える。このため、電圧降下が大きくなる。従って、制御部１１２ｂは、第１電圧と第２電圧の差分から電池１３ｂの電圧Ｖｂａｔまたは容量を算出しても良い。
【００４６】
また、制御部１１２ｂは、第１電圧、第２電圧、第１電圧と第２電圧の差分、平均値または実効値の組合せから電池１３ｂの電圧Ｖｂａｔを判定しても良い。これにより、正確に電池電圧を把握することができる。
【００４７】
図１０は、音声出力部２５からの音声を説明する図である。電池１３ｂの電圧Ｖｂａｔには、音声発声の為の放電電流に応じた変化分も重畳される。なお、電池１３ｂの電圧Ｖｂａｔは、消費電力の大きい点滅回路１４の動作に大きく影響される。音声出力部２５からの音声信号の１周期には、例えば２回の警報音と、２回の音声が含まれる。１周期は例えば７．５秒である。
【００４８】
制御部１１２ｂは、音声出力部２５が発する音声の１周期の間での電池１３ｂの電圧Ｖｂａｔの平均値を算出しても良い。これにより、より正確に電池電圧を把握することができる。
【００４９】
図１１は、実施の形態１に係るリモコン９０の平面図である。リモコン９０は、確認ボタン９１、自己点検ボタン９２、手動点検ボタン９３および中断ボタン９４を有する。確認ボタン９１は、電池１３ａが２４時間以上充電されているか否かを確認するボタンである。自己点検ボタン９２を押下することで、自動で第１光源１２および電池１３ａの点検が実施される。自己点検では、制御部１１２ａにより、規定時間だけ第１光源１２を点灯させたときに電池１３ａの電圧が放電基準電圧よりも高いか否かが判別される。なお、制御部１１２ａは規定時間前に電池１３ａが放電基準電圧を下回った場合は、点検を終了させる。判別結果は、充電モニタ１６ａに出力される。なお、中断ボタン９４を押下することで、自己点検の中断が可能である。
【００５０】
手動点検ボタン９３を押下することで、動作確認スイッチ１０がオンオフされた場合と同様の動作となり、火災信号を模擬的に制御部１１２ｂに入力できる。従って、手動点検ボタン９３が押下されることで、点滅および音声出力の模擬動作が順番または同時に実施される。
【００５１】
このように、本実施の形態では既存のリモコン９０を使って、容易に点検動作が可能となる。また、中断ボタン９４により長時間に及ぶ自己点検の中断が可能となる。従って、点検機能を使い易くできる。
【００５２】
図１２は、実施の形態１の変形例に係る誘導灯装置１１０の斜視図である。誘導灯装置１１０は、音声回路１５およびスピーカ５を備えない点が誘導灯装置１２０と異なる。その他の回路構成は、誘導灯装置１２０と同じである。誘導灯装置１１０は、音声出力部２５を備えない為、誘導灯装置１２０よりも小型である。
【００５３】
図１３は、誘導灯装置の機種を説明する図である。誘導灯装置には、一般に音声の有無および動作時間の違いによってＡ〜Ｄの４種類がある。機種Ａは点滅の継続時間が２５分であり、音声の継続時間が７５分である。機種Ｂは点滅の継続時間と音声の継続時間が共に７５分である。機種Ｃは点滅の継続時間が２５分であり、音声の出力がない。機種Ｄは点滅の継続時間が７５分であり、音声の出力がない。機種Ａ、Ｂは音声点滅機種であり、機種Ｃ、Ｄは点滅機種である。
【００５４】
ここで、誘導灯装置の自己点検では、規定時間である２５分または７５分だけ点滅動作が継続される。つまり、自己点検での検査時間ｔ１は規定時間と等しい。
【００５５】
以下では、一例として機種Ｂである音声付加点滅形誘導灯の長時間定格の動作を説明する。通常時には、共有回路１１ｂは商用電源５０から電力を供給され、電池１３ｂを充電している。また、点滅回路１４は待機状態、第２光源４は消灯状態、音声回路１５は待機状態、スピーカ５は動作していない無音状態である。
【００５６】
制御部１１２ｂは、火災を報知する火災信号を受信すると、第２光源４の点滅と、スピーカ５の発声を開始する。点滅と発声の開始から規定時間である７５分間は、電池１３ｂの電圧が放電基準電圧Ｖ１より高い状態が維持され、点滅と発声が継続される必要がある。点滅回路１４は、電池１３ｂの電圧が放電基準電圧Ｖ１の時に、第２光源４を点滅させることが可能な規定値以上の出力電圧が得られるように設計されている。また、音声回路１５は、電池１３ｂの電圧が放電基準電圧Ｖ１の時に、スピーカ５から音声を出力することが可能な規定値以上の出力電圧が得られるように設計されている。
【００５７】
図１４は、制御部１１２ｂの動作を示すフローチャートである。図１４を用いて、リモコン９０の自己点検ボタン９２が押下された際の自動点検動作について説明する。まず、制御部１１２ｂが火災を報知する火災信号を受信した場合、規定時間の点滅および音声出力動作が実施される。
【００５８】
火災信号を受信していない場合は、充電時間の確認が実施される。充電時間が２４時間以下の場合、電池１３ｂの充電が十分ではないため、自己点検は実施されない。充電時間が２４時間よりも長い場合、自己点検ボタン９２が押下されたか否かが確認される。自己点検ボタン９２が押下されていない場合、制御部１１２ｂは充電状態および火災信号の待機状態に戻る。
【００５９】
なお、充電時間は、確認ボタン９１の押下によって確認することもできる。確認ボタン９１が押下された場合、電池１３ａが２４時間以上充電されているか否かが使用者に通知される。通知は、例えば充電モニタ１６ａの点滅によって行われる。充電モニタ１６ａの近傍にはランプモニタおよび点検モニタが設けられる。例えば点検モニタと充電モニタ１６ａが共に点滅する場合、電池１３ａの充電時間が２４時間以上であることを示す。また、例えばランプモニタと充電モニタ１６ａが共に点滅する場合、電池１３ａの充電時間が２４時間未満であることを示す。同様に、充電モニタ１６ｂの近傍にランプモニタおよび点検モニタを設け、電池１３ｂが２４時間以上充電されているか否かを使用者に通知しても良い。
【００６０】
自己点検ボタン９２が押下された場合、制御部１１２ｂは自己点検を開始する。制御部１１２ｂは、点滅回路１４と音声回路１５に模擬動作信号を送信し、点滅および音声出力の模擬動作を開始する。一定時間だけ模擬動作を継続した時点で、制御部１１２ｂは電池１３ｂの電圧Ｖｂａｔを検出する。制御部１１２ｂは、図８または図９に示されるタイミングまたはその両方のタイミングで電池電圧を検出し、電池電圧が放電基準電圧Ｖ１よりも高いか否かを判別する。
【００６１】
また、制御部１１２ｂは点滅および音声出力の動作時間が検査時間ｔ１よりも長いか否かを確認する。検査時間ｔ１は誘導灯装置の機種によって予め定められた時間であり、機種Ｂでは点滅、音声出力で共に７５分である。
【００６２】
動作時間が検査時間ｔ１以下の時点で、電池１３ｂの電圧Ｖｂａｔが放電基準電圧Ｖ１以下となった場合、電池１３ｂの寿命であると判断できる。このとき、制御部１１２ｂは不合格の判定を行う。この場合、制御部１１２ｂは充電モニタ１６ｂを点滅させる。その後、制御部１１２ｂは充電状態および火災信号の待機状態に戻る。
【００６３】
電池１３ｂの電圧Ｖｂａｔが放電基準電圧Ｖ１よりも高い状態で、検査時間ｔ１が経過した場合、電池１３ｂは規定時間の動作に十分な容量を有すると判断できる。このとき、制御部１１２ｂは合格の判定を行う。この場合、制御部１１２ｂは充電モニタ１６ｂを点灯させる。その後、制御部１１２ｂは充電状態および火災信号の待機状態である通常時に戻る。
【００６４】
このように、自己点検では、検査時間ｔ１後に電池電圧が放電基準電圧Ｖ１より高ければ合格となる。また、電池電圧が検査時間ｔ１の経過前に放電基準電圧Ｖ１以下になった場合、不合格となり、その時点で点検を終了する。以上から、電池１３ｂの寿命を判定できる。
【００６５】
防災用照明では、電池での動作確認をして電池の異常の有無を確認する機能が設けられることがある。日本照明工業会規格のＪＩＬ５５０２では、誘導灯器具及び避難誘導灯システム用装置技術基準が規定されている。この基準は、表示面を有する誘導灯について、自動点検機能を用いて、規定時間後の電池電圧を検出して電池の寿命判定を行うというものである。
【００６６】
ここで、点滅形誘導灯において光源がキセノンランプである場合、必要な電力が大きく、電池電圧の変動が大きい。このため、一般に正確な電池電圧が把握することが難しい。このような理由から、点滅形誘導灯については、一般に自動点検機能が付加されておらず、日本照明工業会規格でも自動点検機能が規格化されていない。
【００６７】
しかし、現在は点滅光源にＬＥＤを使用する事が規格化されている。本実施の形態によれば、第２光源４にＬＥＤを用いることで、点滅形誘導灯、点滅装置、音声付加点滅形誘導灯に自動点検機能を適用できる。これにより、点滅装置および音声装置について手動で点検を行う必要が無く、容易に点検を実施できる。従って、誘導灯装置のメンテナンスを容易にできる。また、電池１３ｂの寿命を判定できるため、誘導灯装置の信頼性を向上できる。
【００６８】
本実施の形態の変形例として、制御部１１２ｂは、１回の点滅ごとに電池電圧を検出し、電池電圧が放電基準電圧Ｖ１よりも高いか否かを判別し、放電基準電圧Ｖ１以下の場合に電池１３ｂの寿命であると判定しても良い。また、制御部１１２ｂは、音声出力部２５が発する音声の１周期の間での電池１３ｂの電圧Ｖｂａｔの平均値を算出し、平均値が放電基準電圧Ｖ１よりも高いか否かを判別し、放電基準電圧Ｖ１よりも高くない場合に電池１３ｂの寿命であると判定しても良い。
【００６９】
また、本実施の形態では、電池電圧と放電基準電圧Ｖ１とを比較した。これに限らず、制御部１１２ｂは、検査時間だけ第２光源４を点滅させ、かつ、音声を出力させたときに、電池１３ｂの電圧Ｖｂａｔが予め定められた閾値電圧よりも高いか否かを判別すれば良い。閾値電圧は、求められる信頼性等に応じて適宜設定できる。また、第１電圧と第２電圧の差分を算出する場合、制御部１１２ｂは第１電圧と第２電圧の差分が閾値電圧よりも高いか否かを判別し、差分が予め定められた値以上の場合に、電池１３ｂの寿命であると判定しても良い。
【００７０】
また、制御部１１２ｂは、第２光源４と並列に第１疑似負荷３４を接続し、スピーカ５と並列に第２疑似負荷３５を接続した状態で、自己点検を実施しても良い。
【００７１】
ここでは機種Ｂの自己点検方法について説明した。機種Ａの場合は、点滅の模擬動作は２５分の時点で終了し、その後、音声出力の模擬動作のみが７５分の時点まで継続される。また、機種Ｃ、Ｄでは点滅のみの模擬動作が実施される。この場合、制御部１１２ｂは、検査時間ｔ１だけ第２光源４を点滅させたとき、電池１３ｂの電圧Ｖｂａｔが予め定められた閾値電圧よりも高いか否かを判別し、閾値電圧以下の場合に電池１３ｂの寿命であると判定しても良い。
【００７２】
また、制御部１１２ｂは、電池１３ｂの電圧Ｖｂａｔが閾値電圧よりも高いか否かの判別結果を充電モニタ１６ｂに出力する。充電モニタ１６ｂは、判別結果を表示する判別結果表示部である。判別結果表示部は、これに限らず判別結果が外部から判断できれば良い。
【００７３】
本実施の形態で説明した技術的特徴は適宜に組み合わせて用いてもよい。
【符号の説明】
【００７４】
１  本体、２  表示パネル、３  第２光源用カバー、４  第２光源、５  スピーカ、７  本体カバー、７ａ  スピーカ用穴、９  リモコン受光部、１０  動作確認スイッチ、１１ａ  点灯回路、１１ｂ  共有回路、１２  第１光源、１３ａ  電池、１３ｂ  電池、１４  点滅回路、１４ｂ  昇圧回路、１５  音声回路、１６ａ  充電モニタ、１６ｂ  充電モニタ、２５  音声出力部、３４  第１疑似負荷、３４ａ  スイッチ、３５  第２疑似負荷、３５ａ  スイッチ、５０  商用電源、９０  リモコン、９１  確認ボタン、９２  自己点検ボタン、９３  手動点検ボタン、９４  中断ボタン、１１０  誘導灯装置、１１１ａ  充電回路、１１１ｂ  充電回路、１１２ａ  制御部、１１２ｂ  制御部、１１４ｂ  昇圧回路、１２０  誘導灯装置、２００  火災報知部、２０１  火災検出部、２０２  火災報知設備、２０３  誘導灯用信号装置、Ｒ１、Ｒ２  抵抗
【図１】
2020191228.tif 000003
【図２】
2020191228.tif 000004
【図３】
2020191228.tif 000005
【図４】
2020191228.tif 000006
【図５】
2020191228.tif 000007
【図６】
2020191228.tif 000008
【図７】
2020191228.tif 000009
【図８】
2020191228.tif 000010
【図９】
2020191228.tif 000011
【図１０】
2020191228.tif 000012
【図１１】
2020191228.tif 000013
【図１２】
2020191228.tif 000014
【図１３】
2020191228.tif 000015
【図１４】
2020191228.tif 000016